(57)【要約】【課題】浄化処理能力を向上させることで、優れた浄化性能を得ることができる【解決手段】注ぎ口１４を有する有底筒状の容器本体１０と、容器本体１０の上端開口に着脱可能に装着されるとともに、注ぎ口１４に連通する出水路２１を有する蓋体２と、を備え、下蓋体４０の下面４１ａには、出水路２１に通じる複数の通水穴４４が設けられるとともに、浄化剤３３が収容された浄水カートリッジ３が着脱自在に取り付けられ、浄水カートリッジ３の浄化剤３３と下蓋体４０の下面４１ａとの間に０．０５ｍｍ以上の隙間Ｓが設けられた構成の電気ポット１を提供する。【選択図】図１
2015167635.tif 000002
【特許請求の範囲】
【請求項１】
有底筒状の容器本体と、
前記容器本体の上端開口に着脱可能に装着されるとともに、注ぎ口に連通する出水路を有する蓋体と、
を備えたポットであって、
前記蓋体の下面には、前記出水路に通じる通水穴が設けられ、
浄化剤が収容された浄水カートリッジが、前記蓋体の下面に着脱自在に取り付けられ、
前記浄水カートリッジは、前記通水穴を覆っており、
前記浄水カートリッジの浄化剤と前記蓋体の下面との間に隙間が設けられているポット。
【請求項２】
前記隙間に０．０５ｍｍ以上の隙間が設けられている請求項１に記載のポット。
【請求項３】
前記浄水カートリッジは、前記注ぎ口に対向する後部及び／又は側部が前記蓋体の下面に対して封止されている請求項１又は２のいずれか１項に記載のポット。
【請求項４】
前記浄水カートリッジは、前記浄化剤がカートリッジケース内に収容された構成をなし、
前記カートリッジケースには、前記蓋体の下面に面している流出面と、前記浄化剤を間に挟んで前記流出面の反対に備えられた流入面を有し、
前記流入面及び前記流出面のそれぞれにスリット状の開口が形成され、
前記流出面の開口は、前記注ぎ口と前記容器本体の容器軸とを結ぶ縦方向に沿った縦スリット状に形成され、
前記流入面の開口は、前記縦方向に直行する横方向に沿った横スリット状に形成されている請求項１乃至３のいずれか１項に記載のポット。
【請求項５】
前記蓋体の周壁には、前記出水路に連通する第１開放部が設けられ、
前記浄水カートリッジは、前記第１開放部を覆う閉塞壁を有し、
前記閉塞壁には、前記第１開放部に連通する第２開放部が設けられている請求項１乃至３いずれか１項に記載のポット。
【請求項６】
前記容器本体を加熱する電気ヒーターを有する請求項１乃至５のいずれか１項に記載のポットを備えた電気ポット。
【請求項７】
有底筒状の容器本体の上端開口に着脱可能に装着されるとともに、注ぎ口に連通する出水路を有する蓋体に、着脱自在に取り付けられる浄水カートリッジであって、
浄化剤を内部に有するカートリッジケースを備え、
前記カートリッジケースには、前記蓋体の下面に面している流出面と、前記浄化剤を間に挟んで前記流出面の反対に備えられた流入面を有し、
前記流出面及び前記流出面のそれぞれにスリット状の開口が形成され、
前記流出面の開口は、前記注ぎ口と前記容器本体の容器軸とを結ぶ縦方向に沿った縦スリット状に形成され、
前記流入面の開口は、前記縦方向に直行する横方向に沿った横スリット状に形成されている浄水カートリッジ。
【請求項８】
前記浄化剤は、繊維状活性炭及び／又は繊維状イオン交換体を有する請求項７に記載の浄水カートリッジ。
【発明の詳細な説明】
【技術分野】
【０００１】
本発明は、水中の塩素等を除去する浄水機能を有するポット、電気ポット、及び浄水カートリッジに関するものである。
【背景技術】
【０００２】
この種の電気ポットとして、上部に開口及び注ぎ口を形成した容器本体と、この容器本体の側部に設けた把持部と、容器本体内に取り付けられた内容器と、内容器内を加熱する電気ヒーターと、開口部に設けた蓋体と、蓋体内に形成され内容器内と注ぎ口を連通する注出路を有すると共に、注出路の内容器側の通水穴に連通させつつ蓋体の下面に浄化剤を着脱自在に取り付けた構成のものが知られている（例えば、特許文献１参照）。
【先行技術文献】
【特許文献】
【０００３】
【特許文献１】特開２０００−６０７３０号公報
【発明の概要】
【発明が解決しようとする課題】
【０００４】
しかしながら、上述した電気ポットでは、以下のような問題があった。
すなわち、蓋体の下面に対して浄化剤を隙間なく接触させる場合が多く、この場合には、内容器内の水が浄化剤の通水穴に近い部分において集中的に流通するため、例えば浄水器協会が定める浄水シャワーの規格基準（ＪＷＰＡＳ  Ｊ．２−１０−２００３）による遊離残留塩素除去性能が充分に得られないという欠点があった。
また、浄化剤を通過する湯の蓋体内への流量を増やす目的で、蓋体に設けられる通水穴の数量を多く設け過ぎると、蓋体の強度が低下することから、蓋体の板厚を大きくする等、部材にかかるコストが増大するという問題があり、その点で改善の余地があった。
【０００５】
本発明は、このような事情に鑑みてなされたものであって、浄化処理能力を向上させることで、優れた浄化性能を得ることができるポット、電気ポット、及び浄水カートリッジを提供することを目的とする。
【課題を解決するための手段】
【０００６】
上記の目的を達成するために、この発明は以下の手段を提供している。
本発明に係るポットは、有底筒状の容器本体と、該容器本体の上端開口に着脱可能に装着されるとともに、注ぎ口に連通する出水路を有する蓋体と、を備えたポットであって、前記蓋体の下面には、前記出水路に通じる通水穴が設けられ、浄化剤が収容された浄水カートリッジが着脱自在に取り付けられ、前記浄水カートリッジは、前記通水穴を覆っており、該浄水カートリッジの浄化剤と前記蓋体の下面との間に隙間が設けられていることを特徴としている。
【０００７】
本発明では、ポットを傾けて容器本体内の水を注ぐ際に、内部の水が浄水カートリッジの浄化剤を通過することで、水中からカルキ等の不純物が除去された浄水が、蓋体の通水穴から蓋体内に入り出水路を通過し、容器本体の注ぎ口からその浄水を注ぐことができる。浄水を注ぐとき、浄水カートリッジの浄化剤と蓋体の下面との間に設けられる隙間が、浄化剤を通過した水を通水穴へ導く流路となる。すなわち、本発明では、浄化剤を通過した浄水が前記隙間に流れ込み、その隙間が水路となる。その隙間を介して浄水が通水穴内に流入することになるので、水を浄化剤の全面にわって均一に通過させることが可能となる。
そのため、浄化剤を通過して浄化処理される原水の浄化処理量が増え、浄化処理能力を高めることができる。また、浄化剤を全面で均一に使用することができ、実使用面積を増大させることができるので、浄化処理効率が向上し、浄化剤を無駄なく使用することができる利点がある。
【０００８】
また、通水穴の数量や開口面積を増大させずに、浄化処理能力を向上させることができることから、開口面積が大きくなることによる蓋体下面の強度の低下を防ぐことができる。
さらに、浄水カートリッジが蓋体に対して着脱自在であるので、容易且つ頻繁に浄水カートリッジの交換作業を行うことができ、長期間、衛生的な浄水を得ることができる。
【０００９】
また、本発明に係るポットでは、前記浄水カートリッジの浄化剤と前記蓋体の下面との間に０．０５ｍｍ以上の隙間が設けられていることが好ましい。
【００１０】
この場合、浄水カートリッジの浄化剤と蓋体の下面との間に設けられる０．０５ｍｍ以上の隙間が、浄化剤を通過した水を通水穴へ導く流路となる。
【００１１】
また、本発明に係るポットでは、前記浄水カートリッジは、前記注ぎ口に対向する後部及び側部の少なくとも一方が前記蓋体の下面に対して封止されていることが好ましい。
【００１２】
この場合には、ポットを注ぎ口側を下に向けて水を注ぐ際に、水が後部や側部から蓋体内に直接流入するのを防ぐことができるので、容器本体内の水を確実に浄化剤に通過させ出水路を介して注ぎ口から注ぐことができる。つまり、浄化剤を通過せずに注がれることを防止することができ、浄化効率を高めることができる。
【００１３】
また、本発明に係るポットでは、前記浄水カートリッジは、前記浄化剤がカートリッジケース内に収容された構成をなし、前記カートリッジケースには、前記蓋体の下面に面している流出面と、前記浄化剤を間に挟んで前記流出面の反対に備えられた流入面を有し、前記流出面と前記流入面のそれぞれにスリット状の開口が形成され、前記流出面側の開口は、前記注ぎ口と前記容器本体の容器軸とを結ぶ縦方向沿った縦スリット状に形成され、前記流入面の開口は、前記縦方向に直行する横方向に沿った横スリット状に形成されていることが好ましい。
【００１４】
また、本発明に係る浄水カートリッジでは、有底筒状の容器本体の上端開口に着脱可能に装着されるとともに、注ぎ口に連通する出水路を有する蓋体に、着脱自在に取り付けられる浄水カートリッジであって、浄化剤を内部に有するカートリッジケースを備え、前記カートリッジケースには、前記蓋体の下面に面している流出面と、前記浄化剤を間に挟んで前記流出面の反対に備えられた流入面を有し、前記流出面及び前記流出面のそれぞれにスリット状の開口が形成され、前記流出面の開口は、前記注ぎ口と前記容器本体の容器軸とを結ぶ縦方向に沿った縦スリット状に形成され、前記流入面の開口は、前記縦方向に直行する横方向に沿った横スリット状に形成されていることを特徴としている。
【００１５】
この場合には、流入面に形成される横スリット状の開口と、流出面に形成される縦スリット状の開口とが縦横に交差する方向に配置されることから、浄化剤内を流通する水の流れを一定方向でなく変化させることができる。そのため、濾材を充分に使うことができる。また、浄化剤内における流通方向が常に一定で、その流通部分が変形し、強度が低下するおそれがある場合に比べて、浄化剤の形状を安定的に保持することができる。
さらに、本発明では、出水路側となる流出面における流れの方向が縦スリット状の開口を通過することによって注ぎ口へ向かう縦方向となることから、スムーズな注ぎが可能となる。しかも、蓋体内で縦方向の流れを作ることで、水を注ぎ口より注いだ後の蓋体内での水切れが良くなり、湯残りを防止することができる。
また、開口がスリット状であることから格子状に比べて、浄化剤内に水が残りにくい。更に、少ない部材でカートリッジケースを構成することができる。
【００１６】
また、本発明に係るポットでは、前記蓋体の周壁には、前記出水路に連通する第１開放部が設けられ、前記浄水カートリッジは、前記第１開放部を覆う閉塞壁を有し、該閉塞壁には、前記第１開放部に連通する第２開放部が設けられていることが好ましい。
【００１７】
このような構成にすることにより、蓋体の第１開放部及び浄水カートリッジの第２開放部が、蓋体内の空気（浄化剤と注ぎ口との間の空気）を容器本体内の空間に逃がす空気穴として機能することができる。そのため、蓋体内での水の流通がスムーズとなり、注ぎの際における浄化速度を向上させることができる。
また、前記開放部が設けられているので注ぎ口より水を注いだ後の水切れが良好となり、蓋体内における湯溜まりを防止することができ、蓋体から容器本体内への水の滴下を防ぐことが可能となる。
また、本発明に係る電気ポットでは、前記容器本体を加熱する電気ヒーターを有することを特徴としている。
【００１８】
本発明の電気ポットによれば、上述したポットを電気ポットとして利用することができ、容器本体内の水を電気ヒーターで加熱した湯を注ぐ際、浄水カートリッジの浄化剤を通過させた浄水を注ぐことができる。
【００１９】
また、本発明に係る浄水カートリッジでは、前記浄化剤は、繊維状活性炭及び繊維状イオン交換体のうち少なくとも一方であることが好ましい。
【００２０】
この場合には、浄化剤が繊維状の素材から形成されるので、浄化剤を通過する水の空間速度が大きい場合であっても、吸着による除去がし易いという利点がある。
【発明の効果】
【００２１】
本発明に係るポット、電気ポット、及び浄水カートリッジによれば、浄化処理能力を向上させることで、優れた浄化性能を得ることができるという効果を奏する。
【図面の簡単な説明】
【００２２】
【図１】本発明の第１の実施の形態による電気ポットの構成を示す縦断面図である。
【図２】図１に示す電気ポットの下蓋体を下面から見た平面図であって、浄水カートリッジを取り付ける前の状態の図である。
【図３】図２に示すＡ−Ａ線断面図であって、下蓋体の下面に浄水カートリッジを取り付けた状態を示す断面図である。
【図４】図２に示すＢ−Ｂ線断面図であって、浄水カートリッジを保持ガイドに取り付けるスライド途中の状態を示す図である。
【図５】図４に示す浄水カートリッジを保持ガイドに取り付けた状態を示す図である。
【図６】浄水カートリッジの分解図である。
【図７】浄化剤を通過した湯の流れを説明するための断面図である。
【図８】第２の実施の形態による電気ポットの構成を示す縦断面図である。
【図９】図８に示す電気ポットの下蓋体を下面から見た平面図であって、浄水カートリッジを取り付ける前の状態の図である。
【図１０】下蓋体の下面に浄水カートリッジを取り付けた状態を示す斜視図である。
【図１１】下蓋体の下面に浄水カートリッジを取り付けた状態を示す平面図である。
【図１２】図１１に示すＣ−Ｃ線断面図である。
【図１３】下蓋体と浄水カートリッジの分解図である。
【発明を実施するための形態】
【００２３】
以下、本発明に係るポット、電気ポット、及び浄水カートリッジの実施の形態について図面を参照して説明する。
【００２４】
（第１の実施の形態）
【００２５】
図１に示す本実施の形態による電気ポット１は、有底筒状の容器本体１０と、容器本体１０の上端開口に着脱可能に装着される蓋体２と、蓋体２の裏面（下面４１ａ）に着脱可能に装着される浄水カートリッジ３と、を備えている。
ここで、電気ポット１は、図示しないヒーター及び温度調節部材が設けられた電気プラグ基板に上方から載置可能に設けられ、載置されている状態で電気ポット１が加熱され、又は保温される電気ケトルを対象としている。
【００２６】
ここで、図１に示す容器本体１０における中心軸線を容器軸Ｏといい、この容器軸Ｏ方向に沿った蓋体２側を上側といい、容器本体１０の底盤１２側を下側といい、容器軸Ｏに直交する方向で容器本体１０の注ぎ口１４と容器軸Ｏとを結ぶ方向を縦方向Ｙといい、上面視で縦方向Ｙに直交する方向を横方向Ｘ（図２参照）といい、容器軸Ｏ回りに周回する方向を周方向という。また、縦方向Ｙで注ぎ口１４側を前方、前側といい、その反対方向を後方、後側という。
【００２７】
容器本体１０は、上面視で円形状に形成された周壁１１と、底壁１２と、を備えている。周壁１１には、把持部１３と、その把持部１３に対向して位置する注ぎ口１４が一体に成形されており、周壁１１の開口端に前記蓋体２が着脱可能に設けられている。周壁１１は、下筒部１１Ａと、注ぎ口１４を含み下筒部１１Ａよりも肉厚の薄く、内径の大きな上筒部１１Ｂとからなる。下筒部１１Ａと上筒部１１Ｂとで周方向に沿って段部１１ａが形成されている。蓋体２は、上筒部１１Ｂに嵌合され、蓋体２の下端が段部１１ａに当接している。
【００２８】
注ぎ口１４は、内周側から外周側に向けて貫通する注出路１４Ａを形成している。
この注出路１４Ａの内空側の開口１４ａは、装着されている蓋体２内に形成される出水路２１（後述）に連通している。そして、下筒部１１Ａの内側は、容器本体１０内に溜まる水（湯）の原水貯留部Ｒとなる。
【００２９】
蓋体２は、上蓋体２０と、この上蓋体２０の下方に取り付けられた金属製の下蓋体４０と、が上下に組み合わされて容器本体１０の上筒部１１Ｂに装着されている。
【００３０】
上蓋体２０には、容器本体１０の注ぎ口１４、及び容器本体１０内の原水貯留部Ｒを連通する出水路２１と、出水路２１の流入口２１ａを開閉自在とするロック機構２２と、を有している。
【００３１】
ロック機構２２は、周知の構成であり、押圧部２２ａを押すと、ロックが解除され、原水貯留部Ｒ内の湯を注出できる構成となっている。すなわち、ロック機構２２は、押圧部２２ａと、押圧部２２ａに繋がる軸部２２ｂと、軸部２２ｂの下端に固定された閉止弁２２ｃと、閉止弁２２ｃを付勢するバネ材２２ｄと、を備えて概略構成されている。
軸部２２ｂは、バネ材２２ｄによって上側に付勢された状態で組み付けられている。この状態（ロック位置）において、閉止弁２２ｃが底面に当接し、出水路２１の流入口２１ａを閉塞する。そして、押圧部２２ａを押圧し、軸部２２ｂを介して閉止弁２２ｃが下降し、出水路２１を開く。閉止弁２２ｃが下降したとき、図示しない保持手段により軸部２２ｂが下降した所定位置（ロック解除位置）で係止したまま保持される。
【００３２】
上蓋体２０には、その外周部を覆う筒状のパッキン２３が取り付けられている。パッキン２３は、上蓋体２０と容器本体１０の上筒部１１Ｂとの間に介在される。またパッキン２３の下端内周部には、周方向に沿って切り込まれたスリット２３ａが形成されている。このスリット２３ａには、後述する下蓋体４０の鍔部４２ａが嵌合される。
【００３３】
下蓋体４０は、底盤４１と周壁４２とから皿形状に形成されている。周壁４２の上端縁から全周にわたって容器軸Ｏに直交する方向の外方に向けて突出する鍔部４２ａがパッキン２３のスリット２３ａに嵌合されている。下蓋体４０の底盤４１と上蓋体２０の底面２０ａとの間には、ロック機構２２の閉止弁２２ｃの開閉動作可能な領域と、原水貯留部Ｒ内の湯を注ぎ口１４（上蓋体２０の出水路２１）へ導くための流通領域と、をなす蓋内空間４３（図３参照）が形成されている。
【００３４】
底盤４１には、図２に示すように、図１に示す蓋内空間４３と原水貯留部Ｒとを連通する複数の通水穴４４が形成されている。これら通水穴４４は、底盤４１に装着される浄水カートリッジ３に対向する範囲に配置されている。すなわち、浄水カートリッジ３は、通水穴４４を覆う位置に装着されている。また、通水穴４４は容器本体１０の注ぎ口１４側に多く配置され、互いに所定の間隔をあけて配置されている。これら通水穴４４の直径は、例えば４〜８ｍｍの円形状に設定されている。
【００３５】
また、底盤４１の裏面（下面４１ａ）には、後述する板状の浄水カートリッジ３を着脱可能に装着するための保持ガイド４５がビス４５ａによって固定されている。保持ガイド４５は、図３〜図５に示すように、カートリッジ収容部４５Ａと、カートリッジ収容部４５Ａの両側に連設され下蓋体４０の下面４１ａ（図２参照）にビス４５ａにより固定される固定部４５Ｂと、を備えている。なお、図３〜図５は、上下を逆とし、浄水カートリッジ３が下蓋体４０に対して上側に示されている。
【００３６】
図２に示すように、固定部４５Ｂは、縦方向Ｙに向けて延びる帯状の部材であり、その延在方向の両端で前記ビス４５ａによって下蓋体４０に固定されている。
カートリッジ収容部４５Ａは、互いに対向する一対の側壁４５１と、これら側壁４５１、４５１の一方の後端に連接する後壁４５２と押さえ面４５３を有している。押さえ面４５３は、側壁４５１と後壁４５２によって下面４１ａから凸設されており、浄水カートリッジ３の下面を下方から支持している。
後壁４５２は、後側に突となるように湾曲した形状となっている。押さえ面４５３は、前側に開口するコの字状の開口部４５３ａが形成されている。つまり、カートリッジ収容部４５Ａに収容される浄水カートリッジ３は、その外周部分が押さえ面４５３によって保持されるとともに、大部分は開口部４５３ａより露出した状態で収容される。
【００３７】
すなわち、図４及び図５に示すようにカートリッジ収容部４５Ａは、前側に挿入口４５ｂが形成されている。挿入口４５ｂを利用して浄水カートリッジ３が下蓋体４０の下面４１ａの面方向に沿って縦方向Ｙにスライド可能、且つ着脱自在に装着される構成となっている。
また、カートリッジ収容部４５Ａ内の後壁４５２側には、浄水カートリッジ３の後方側への移動を規制する止め部４５４が設けられている。止め部４５４は、押さえ面４５３から上方へ向けて突出し、その突出端４５４ａが下蓋体４０の底盤４１に設けられる係止穴４１ｂに固定されている。
また、周壁４２の前面には、厚さ方向に貫通する第１開放穴４２ｃ（第１開放部）が形成されている。
【００３８】
カートリッジ収容部４５Ａの内空の高さ寸法ｈ（押さえ面４５３と下蓋体４０の底盤４１との離間寸法）は、詳しくは後述するが、浄水カートリッジ３の高さ寸法Ｈに加えて、浄水カートリッジ３の浄化剤３３と下蓋体４０の底盤４１（下面４１ａ）との間に０．０５ｍｍ以上の隙間Ｓ（図３、図７参照）をもたせた寸法に設定されている。隙間Ｓは０．０５ｍｍ以上１０ｍｍ以下が好ましい。０．０５ｍｍよりも小さいと、内容器内の水が浄化剤３３の通水穴４４に近い部分において集中的に流通し、１０ｍｍよりも大きいと、内容器１５のスペースを有効に使うことができない。また、浄化剤３３内に残る残留水が増える。
【００３９】
図３〜図６に示すように、浄水カートリッジ３は、上下方向の中央に不織布等の浄化剤３３を挟持させた板状部材で、保持ガイド４５のカートリッジ収容部４５Ａに底盤４１の下面４１ａに沿って移動させることにより着脱自在に取り付けられている。
なお、この浄水カートリッジ３は、図１に示すように、蓋体２の閉蓋時に原水貯留部Ｒ内の湯が満水時の水面よりも高い位置となるように下蓋体４０に取り付けられている。
【００４０】
浄水カートリッジ３は、上側カートリッジケース３１と、下側カートリッジケース３２と、上側カートリッジケース３１及び下側カートリッジケース３２に挟持される浄化剤３３と、を備えている。上側カートリッジケース３１、下側カートリッジケース３２、及び浄化剤３３は、図４及び図５に示すように、断面視Ｌ状に折り曲げられている。浄化剤３３をその折曲げ部３ｂ（浄化剤３３を構成する活性剤シート３３Ａ及び不織布３３Ｂのそれぞれの折曲げ部３３ａ、３３ｂを合わせた部分）が下蓋体４０の前方部分の周壁４２の前面４２ｂを覆うとともに当接するように設けられている。
【００４１】
上側カートリッジケース３１は、図６に示すように、流出面３１Ａと、流出面３１Ａの前端から略直角に折り曲げられて上方に向けて延びる閉塞壁３１Ｂと、からなる。流出面３１Ａは、縦方向Ｙに長く延びる縦スリット状の縦開口３１ａが複数（ここでは３つ）配列されている。閉塞壁３１Ｂには、中央部に厚さ方向に貫通する貫通穴３１ｂ（第２開放部）が形成されている。
下側カートリッジケース３２は、流入面３２Ａと、流入面３２Ａの前端から略直角に折り曲げられて上方に向けて延びる閉塞壁３２Ｂと、からなる。流入面３２Ａは、横方向Ｘに長く延びるスリット状の横開口３２ａが複数（ここでは３つ）配列されている。閉塞壁３２Ｂには、中央部に厚さ方向に貫通する貫通穴３２ｂ（第２開放部）が形成されている。また、下側カートリッジケース３２の閉塞壁３２Ｂには、下向きに突出する把持部３２Ｃが形成されている。
【００４２】
上側カートリッジケース３１及び下側カートリッジケース３２は、上下から浄化剤３３を挟んだ状態で図示しない嵌合手段により着脱自在に嵌合されている。つまり、浄化剤３３は、上下に配置される縦開口３１ａと横開口３２ａに面している。
浄水カートリッジ３の後端には、半円状の切欠部３１ｃ、３２ｃ、３３ｃ、３３ｄが形成されている。この切欠部３１ｃ、３２ｃ、３３ｃ、３３ｄが保持ガイド４５の止め部４５４（図４参照）に係止することで、浄水カートリッジ３の装着方向（前方から後方へ向かう方向）への移動が規制される。
また、上側カートリッジケース３１の開口面積は、例えば浄水カートリッジ３当たり４〜６ｍｍ２に設定されている。
【００４３】
ここで、浄化剤３３は、活性剤シート３３Ａと不織布３３Ｂとを重ね合わせた構成となっている。浄化剤３３は、上側カートリッジケース３１及び下側カートリッジケース３２と同様にＬ状に略直角に折り曲げられて上方に向けて延びる折曲げ部３３ａ、３３ｂが形成されている。
【００４４】
活性剤シート３３Ａの材質としては、吸着剤からなる。吸着剤としては、粉末状吸着剤、この粉末吸着剤を造粒した粒状吸着剤、繊維状吸着剤などが挙げられる。
具体的に吸着剤としては、粉末状吸着剤、この粉末吸着剤を造粒した粒状吸着剤、繊維状吸着剤などが挙げられる。このような吸着剤としては、例えば、天然物系吸着剤（天然ゼオライト、銀ゼオライト、酸性白土等）、合成物系吸着剤（合成ゼオライト、細菌吸着ポリマー、ヒドロキシアパタイト、モレキュラーシーブ、シリカゲル、シリカアルミナゲル系吸着剤、多孔質ガラス、ケイ酸チタニウム等）などの無機質吸着剤；粉末状活性炭、粒状活性炭、繊維状活性炭、ブロック状活性炭、押出成形活性炭、成形活性炭、分子吸着樹脂、合成物系粒状活性炭、合成物系繊維状活性炭、イオン交換樹脂(カチオン交換樹脂、アニオン交換樹脂)、イオン交換繊維、キレート樹脂、キレート繊維、高吸収性樹脂、高吸水性繊維、吸油性樹脂、吸油剤などの有機系吸着剤等、公知のものが挙げられる。中でも、抗菌性のある銀添着活性炭を有することが望ましい。特に粒状の吸着剤を用いる場合、その粒度分布は２００〜１７００μｍが好ましい。粒度が小さすぎると浄化剤の通水抵抗が大きくなり。流速が遅くなる。粒度が大きすぎると、表面積が小さくなり除去性能が低下する。
【００４５】
また、不織布３３Ｂとしては、微生物及び細菌を含む０．１μｍ以上の粒状体の濾過、除去に好適に使用され、種々の多孔質かつ管状の中空糸膜が使用することができる。
具体的に不織布３３Ｂとしては、微生物及び細菌を含む０．１μｍ以上の粒状体の濾過、除去に好適に使用される。中空糸膜６には、種々の多孔質かつ管状の中空糸膜が使用でき、例えば、セルロース系、ポリオレフィン（ポリエチレン、ポリプロピレン）系、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ四弗化エチレン系、ポリビニリデンフロライド（ＰＶＤＦ）系、ポリカーボネイト系、ポリエステル系、ポリアミド系、芳香族ポリアミド系、等の各種材料からなるものが使用できる。中でも、中空糸膜の取扱性や加工特性等を考慮すると、ポリエチレンやポリプロピレン等のポリオレフィン系の中空糸膜が好ましい。
【００４６】
以上説明した本実施の形態による電気ポット１によれば、以下の作用効果を奏する。
図１に示すように、電気ポット１を傾けて容器本体１０の原水貯留部Ｒ内の湯を注ぐ際には、先ず押圧部２２ａをバネ材２２ｄの付勢力に抗して押圧し、軸部２２ｂ及び閉止弁２２ｃを押し下げた状態に保持する。軸部２２ｂ及び閉止弁２２ｃが押し下げられた状態では、閉止弁２２ｃが出水路２１の入口から離れるので、浄水カートリッジ３から蓋内空間４３、出水路２１を経て注ぎ口１４に至る通水経路が連通される。そして、容器本体１０の把持部１３を把持して電気ポット１全体を傾けることで、容器本体１０内の湯は注ぎ口１４から器等に注がれる。湯を注ぎ口から器等に注ぐとき、容器本体１０内の湯が浄水カートリッジ３を通過することで、湯中からカルキ等の不純物が除去される。
なお、使用後には、再び押圧部２２ａを押圧することで、前記保持状態が解除され、バネ材２２ｄの付勢力によって、軸部２２ｂ及び閉止弁２２ｃが押し上げられ、閉止弁２２ｃによって出水路２１の入口を閉塞する。
【００４７】
このように本実施の形態では、容器本体１０内の湯を注ぐ際に、内部の湯が浄水カートリッジ３の浄化剤３３を通過することで、湯中からカルキ等の不純物が除去された浄水が、蓋体２の下蓋体４０に形成される複数の通水穴４４から蓋体２内に入り出水路２１を通過し、容器本体１０の注ぎ口１４からその浄水を注ぐことができる。
注ぎ口１４からその浄水を注ぐとき、図７に示すように、浄水カートリッジ３の浄化剤３３と下蓋体４０の下面４１との間に設けられる０．０５ｍｍ以上の隙間Ｓが、浄化剤３３を通過した水を通水穴４４へ導く流路となる。すなわち、浄化剤３３を通過する湯（図７の矢印）が前記隙間Ｓに流れ込み、その隙間Ｓが水路となり、さらにその隙間Ｓを介して浄水が通水穴４４内に流入することになるので、湯を浄化剤３３の全面にわって均一に通過させることが可能となる。
【００４８】
そのため、浄化剤３３を通過して浄化処理される浄水の浄化処理量が増え、浄化処理能力を高めることができる。例えば、浄水器協会が定める浄水シャワーの規格基準（ＪＷＰＡＳ  Ｊ．２−１０−２００３）による遊離残留塩素除去性能を充分に得ることが可能となる。
また、浄化剤３３を全面で均一に使用することができ、実使用面積を増大させることができるので、浄化処理効率が向上し、浄化剤３３を無駄なく使用することができる利点がある。
【００４９】
また、本実施の形態では、蓋体２に設けられる通水穴４４の数量や開口面積を増大させずに、浄化処理能力を向上させることができることから、下蓋体４０の下面４１における開口面積が大きくなることによる蓋体下面の強度の低下を防ぐことができる。
さらに、浄水カートリッジ３が蓋体２に対して着脱自在であるので、容易且つ頻繁に浄水カートリッジ３の交換作業を行うことができ、長期間、衛生的な浄水を得ることができる。
【００５０】
また、浄化剤３３が繊維状活性炭及び繊維状イオン交換体のうち少なくとも一方である場合には、繊維状の素材から形成されるので、浄化剤３３を通過する水の空間速度が大きい場合であっても、吸着による除去がし易いという利点がある。
【００５１】
さらに、本実施の形態の浄水カートリッジ３では、流入面３２Ａに形成される横スリット状の横開口３２ａと、流出面３１Ａに形成される縦スリット状の縦開口３１ａとが縦横に交差する方向に配置されることから、浄化剤３３内を流通する水の流れを一定方向でなく変化させることができる。そのため、浄化剤３３内における流通方向が常に一定で、その流通部分が変形し、強度が低下するおそれがある場合に比べて、浄化剤３３の形状を安定的に保持することができる。
そして、出水路２１側となる流出面３１Ａにおける流れの方向が縦スリット状の開口を通過することによって注ぎ口１４へ向かう縦方向Ｘとなることから、スムーズな注ぎが可能となる。しかも、蓋体２内で縦方向Ｙの流れを作ることで、湯を注ぎ口１４より注いだ後の蓋体２内での水切れが良くなり、蓋体２内での湯残りを防止することができる。
【００５２】
また、本実施の形態では、蓋体２内の空気（浄化剤３３と注ぎ口１４との間の空気）を蓋体２の第１開放部及び浄水カートリッジ３の第２開放部から原水貯留部Ｒ内の空間に逃がす空気穴として機能させることができる。そのため、蓋体２内での水の流通がスムーズとなり、注ぎの際における浄化速度を向上させることができる。
さらに、前記開放部が開放されているので水切れが良好となり、蓋体２内における湯溜まりを防止することができ、蓋体２から原水貯留部Ｒ内への湯の滴下を防ぐことが可能となる。
【００５３】
さらにまた、本実施の形態では、浄水カートリッジ３の後部及び両側部が下蓋体４０の下面４１に対して封止されていることから、湯を注ぐ際に、湯が浄水カートリッジ３の後部や側部から蓋体２内に直接流入するのを防ぐことができるので、容器本体１０内の湯を確実に浄化剤３３に通過させ出水路２１を介して注ぎ口１４から注ぐことができる。つまり、浄化剤３３を通過せずに注がれることを防止することができ、浄化効率を高めることができる。
【００５４】
このように本実施の形態の電気ポット１では、浄化処理能力を向上させることで、優れた浄化性能を得ることができるという効果を奏する。
【００５５】
次に、本発明のポット、電気ポット、及び浄水カートリッジによる他の実施の形態について、添付図面に基づいて説明するが、上述の第１の実施の形態と同一又は同様な部材、部分には同一の符号を用いて説明を省略し、第１の実施の形態と異なる構成について説明する。
【００５６】
（第２の実施の形態）
図８に示すように、第２の実施の形態による電気ポット１Ａは、図示しない容器本体に取り付けられる内容器１５に蓋体２の下蓋体４０Ａが設けられ、浄水カートリッジ３Ａが下蓋体４０Ａの下面４１ａに対して上下方向に着脱する構成となっている。
下蓋体４０Ａの底盤４１には、図９〜図１１に示すように、一対の係止穴４１ｃが横方向Ｘにおいて互いに対向する位置に設けられている。第２の実施の形態による浄水カートリッジ３Ａは、上記第１の実施の形態による閉塞壁３１Ｂ、折曲げ部３３ｂ、３３ａ、貫通穴３２ｂ（図６参照）を省略したものである。すなわち、上側カートリッジケース３１及び下側カートリッジケース３２は、図１２及び図１３に示すように、それぞれ流出面３１Ａ、流入面３２Ａのみであり、さらに開口３１ｄ、３２ｄは縦横にスリットが形成された形状となっている。そして、上側カートリッジケース３１は、下側カートリッジケース３２よりもスリット間隔が広い形状となっている。
【００５７】
上側カートリッジケース３１の流出面３１Ａの両側に位置する外周縁には、それぞれ下向きに突出する第１爪部材３４が設けられている。また、下側カートリッジケース３２の流入面３２Ａの両側に位置する外周縁には、それぞれ前記第１爪部材３４と上下方向に対応する位置に係止凹部３５が形成されるとともに、この係止凹部３５と異なった位置において上向きに突出する第２爪部材３６が設けられている。一対の第１爪部材３４は、上側カートリッジケース３１と下側カートリッジケース３２とによって浄化剤３３を挟持した状態において、下側カートリッジケース３２の係止凹部３５に係止される。一対の第２爪部材３６は、それぞれ下蓋体４０の底盤４１に形成される係止穴４１ｃに係止される。これにより上側カートリッジケース３１、下側カートリッジケース３２、浄化剤３３が下蓋体４０の下面４１ａ側に着脱可能に装着されることになる。また、浄水カートリッジ３は、一対の第２爪部材３６と、閉塞壁３２Ｂの３点で下面４１ａに装着される事で、本体容器内の水を注ぐ際に、浄水カートリッジ３が落下するのを防止することができる。
【００５８】
そして、本第２の実施の形態においても、浄化剤３３と下蓋体４０Ａの下面４１ａとの間に０．０５ｍｍ以上の隙間Ｓ（図１２参照）が形成され、上記の第１の実施の形態と同様の作用効果を奏する。
【００５９】
（実施例）
ここで、本実施の形態による電気ポット（電気ケトル）の浄水効果を確認するために行った試験について説明する。
本実施例の試験では、使用する活性炭素繊維シート（ＡＣＦシート）が有効サイズで４５ｍｍ×４５ｍｍのものを１枚使用し、電気ケトルの容量を８００ｍＬとした。
試験は、ＡＦＣシートとステンレス板との隙間を密着させた比較試験と、前記隙間を０．０５ｍｍとした第１実施試験と、前記隙間を１０ｍｍとした第２実施試験と、の３パターンで試験を行い、１杯当たりのろ過時間（秒）、遊離残留塩素除去性能（％）、及び遊離残留塩素ろ過能力（Ｌ）を測定した。
【００６０】
具体的な試験方法としては、遊離残留塩素濃度１．０ｐｐｍ（２０℃）の水を電気ケトルに入れ、沸騰後、直ちにろ過しつつフラン瓶に注いでから、そのフラン瓶に蓋をして冷却した後、遊離残留塩素濃度を測定する。浄水シャワーの規格（ＪＷＰＡＳ  Ｊ−１０−２００３）に基づき、５０％以上の除去をろ過能力の基準とした。
ここで、遊離残留塩素除去性能とは、上記試験を行った初流（１杯目）の塩素除去割合になる。また、遊離残留塩素ろ過能力とは、上記試験を繰り返し行い、５０％（０．５ｍｇ／Ｌ）以上除去できる流量をいう。
なお、浄水協会が定める浄水シャワーの規格（ＪＷＰＡＳ  Ｊ−１０−２００３）では、原水１ｍｇ／Ｌに対し、浄水で０．５ｍｇ／Ｌ以下に保持している量をろ過能力とすると定められている。
これを模倣して、ケトルの性能基準を決定して評価を実施した。ろ過時間は、３回行った平均値である。
【００６１】
【表１】
2015167635.tif 000003
【００６２】
表１に示す試験結果によれば、ろ過時間は、比較試験が３７秒であり、第１、第２実施試験よりも８〜９秒遅くなっている。また、遊離残留塩素除去性能は、各試験ともに９５％以上であり、とくに差がない結果となった。
また、遊離残留塩素ろ過能力については、比較試験が８０Ｌであったのに対して、第１実施試験、及び第２実施試験ともに１５０Ｌ以上という結果が得られた。このことから、ＡＣＦシートとステンレス板との間に隙間が０．０５ｍｍ以上設けることで、遊離残留塩素ろ過能力を高めることができることを確認した。
【００６３】
なお、本発明の技術範囲は、上記実施の形態に限定されるものではなく、本発明の趣旨を逸脱しない範囲において、種々の変更を加えることが可能である。
【００６４】
例えば、上述の実施の形態では、電気ヒーターで容器本体１０を加熱する電気ポット１（電気ケトル）を対象としているが、電気ポットであることに制限されることはなく、加熱機能や保温機能を備えていない普通のポットであってもかまわない。要は、容器本体に出水路を有する蓋体を備えたポットを対象とすることが可能である。
【００６５】
また、浄水カートリッジ３、３Ａのカートリッジケース３１、３２に形成されるスリット状の開口の形状は、本実施の形態に制限されることはなく、スリット部分の縦横寸法は適宜設定することが可能である。
【００６６】
また、本実施の形態における容器本体１０、及び浄水カートリッジ３の大きさ、形状、位置などの構成は、適宜変更することが可能である。
【００６７】
また、本実施の形態における通水孔４４は複数形成されているが、蓋体下面の強度を低下させない範囲であれば、１つの開口であっても良い。
【００６８】
その他、本発明の趣旨を逸脱しない範囲で、上記した実施形態における構成要素を周知の構成要素に置き換えることは適宜可能であり、また、前記した変形例を適宜組み合わせてもよい。
【符号の説明】
【００６９】
１、１Ａ  電気ポット
２  蓋体
３、３Ａ  浄水カートリッジ
１０  容器本体
１１  周壁
１４  注ぎ口
２０  上蓋体
２１  出水路
３１  上側カートリッジケース
３１Ａ  流出面
３１Ｂ  閉塞壁
３１ｂ  貫通穴（第２開放部）
３２  下側カートリッジケース
３２Ａ  流入面
３２Ｂ  閉塞壁
３２ｂ  貫通穴（第２開放部）
３３  浄化剤
３３Ａ  活性剤シート
３３Ｂ  不織布
４０  下蓋体
４１  底盤
４２  周壁
４２ｃ  第１開放穴（第１開放部）
４３  蓋内空間
４４  通水穴
４５  保持ガイド
４５Ａ  カートリッジ収容部
Ｏ  容器軸
Ｒ  原水貯留部
Ｘ  横方向
Ｙ  縦方向
【図１】
2015167635.tif 000004
【図２】
2015167635.tif 000005
【図３】
2015167635.tif 000006
【図４】
2015167635.tif 000007
【図５】
2015167635.tif 000008
【図６】
2015167635.tif 000009
【図７】
2015167635.tif 000010
【図８】
2015167635.tif 000011
【図９】
2015167635.tif 000012
【図１０】
2015167635.tif 000013
【図１１】
2015167635.tif 000014
【図１２】
2015167635.tif 000015
【図１３】
2015167635.tif 000016